(57)【要約】      （修正有）【課題】衝撃吸収性と意匠性に優れ、容易且つ安価に製造できる履物を提供する。【解決手段】断面が略Ｖ字型となるように成型し、前記略Ｖ字型の隙間部にリブ１１を設けたヒール構造部１０と、ソール部材を嵌め込み可能とするための突起部１２を前記ヒール構造部１０の上下両面に形成する。【選択図】図１
2012095979.tif 000002
【特許請求の範囲】
【請求項１】
断面が略Ｖ字型となるように成型し、前記略Ｖ字型の隙間部にリブを設けたヒール構造部と、ソール部材を嵌め込み可能とするための突起部を前記ヒール構造部の上下両面に形成したことを特徴とする履物用ヒール部材。
【請求項２】
前記ヒール構造部および前記突起部は、高強度を有する合成樹脂で一体成型されていることを特徴とする請求項１に記載の履物用ヒール部材。
【請求項３】
前記履物用ヒール部材と、前記履物用ヒール部材の突起部に嵌め込み可能に成型した２体のソール部材と、で構成され、前記２体のソール部材を接着して形成されることを特徴とする履物。
【請求項４】
前記履物用ヒール部材と前記ソール部材とは、前記履物用ヒール部材をインサートとし、発泡ゴム系材料で構成される前記ソール部材とを一体成型して形成されることを特徴とする請求項３に記載の履物。
【発明の詳細な説明】
【技術分野】
【０００１】  本発明は、履物、特に、踵（ヒール）部分が高い形状のサンダル等の履物に関する。
【背景技術】
【０００２】  サンダルやパンプスなどの踵（ヒール）部分が高い形状の履物では、衝撃を吸収するための工夫がこれまでに各種提案されてきた（例えば、特許文献１を参照）。例えば、特許文献１に開示された踵（ヒール）部分が高い形状の靴底構造によれば、着地時の安定性や衝撃吸収性を付与することができる。【０００３】  しかし、上記に開示された従来の靴底構造では、足裏が接する部分と強度を要するヒール部分（踵の高い構造部）とが一体であるため、材質の選択が制約されるという問題があった。例えば、通常、足裏が接する部分はより弾力性の高い軟質材料が好ましいが、強度を要する材質とは相反する。また、一般的に高強度の樹脂材料は高価であるため、この部分はより少ない方が好ましい。一方、足裏が接する部分に弾力性を付与するため、中敷等を別途作製すると、履物自体の製造コストが上昇するという問題も生じる。【０００４】  サンダルのような簡単な構成の履物では、強度が必要な部分と、逆に弾力性が必要な部分とを別々に構成し、更に、単純で少ない工程で安価に作製されることが好ましい。そのためには、独立した構造部材を製造しておき、当該構造部材にソール部材を接着させたり、または、当該構造部材をインサートとして一体成型したりすることが好ましい。
【先行技術文献】
【０００５】
【特許文献】
【０００６】
【特許文献１】特開２００７−２２２３８０号公報（第６頁〜第８頁、図２）
【発明の概要】
【発明が解決しようとする課題】
【０００７】  そこで本発明は上記従来の課題に鑑みてなされたものであり、衝撃吸収性と意匠性に優れ、容易且つ安価に製造できる履物を提供することを目的とする。
【課題を解決するための手段】
【０００８】  上記課題を解決するため、本発明の履物用ヒール部材は、断面が略Ｖ字型となるように成型し、前記略Ｖ字型の隙間部にリブを設けたヒール構造部と、ソール部材を嵌め込み可能とするための突起部を前記ヒール構造部の上下両面に形成したことを特徴とする。
上記構成によれば、サンダルやパンプスなどの踵（ヒール）部分が高い形状の履物の構造部分を独立して製造することができる。【０００９】  また、本発明の履物用ヒール部材は、請求項１に記載の履物用ヒール部材であって、前記ヒール構造部および前記突起部は、高強度を有する合成樹脂で一体成型されていることを特徴とする。
上記構成によれば、サンダルやパンプスなどの踵（ヒール）部分が高い形状の履物の構造部分を容易且つ安価に製造することができる。【００１０】  また、本発明の履物は、前記履物用ヒール部材と、前記履物用ヒール部材の突起部に嵌め込み可能に成型した２体のソール部材と、で構成され、前記２体のソール部材を接着して形成されることを特徴とする。
上記構成によれば、サンダルやパンプスなどの踵（ヒール）部分が高い形状の履物を容易且つ安価に製造することができる。【００１１】  また、本発明の履物は、請求項３に記載の履物であって、前記履物用ヒール部材と前記ソール部材とは、前記履物用ヒール部材をインサートとし、発泡ゴム系材料で構成される前記ソール部材とを一体成型して形成されることを特徴とする、。
上記構成によれば、サンダルやパンプスなどの踵（ヒール）部分が高い形状の履物を容易且つ安価に製造することができる。
【発明の効果】
【００１２】  本発明の履物によれば、サンダルやパンプスなどの踵（ヒール）部分が高い形状の履物を容易且つ安価に製造することができる。また、細長く伸びる従来のヒール部分の形状に比較して、安定性や意匠性にも優れる。
【図面の簡単な説明】
【００１３】
【図１】  本発明の実施の形態における履物用ヒール部材の外観を示す斜視図である。
【図２】  本発明の実施の形態における履物用ヒール部材の外観を示す斜視図である。
【図３】  本発明の実施の形態における履物用ヒール部材の外観を示す斜視図である。
【図４】  本発明の実施の形態における履物の外観を示す斜視図である。
【図５】  上記履物の上面図である。
【図６】  上記履物の正面図である。
【図７】  上記履物の右側面図である。
【図８】  上記履物の左側面図である。
【図９】  上記履物の底面図である。
【図１０】  上記履物の背面図である。
【図１１】  本発明の実施の形態におけるもう一つの履物の外観を示す斜視図である。
【図１２】  上記履物の上面図である。
【図１３】  上記履物の正面図である。
【図１４】  上記履物の右側面図である。
【図１５】  上記履物の左側面図である。
【図１６】  上記履物の底面図である。
【図１７】  上記履物の背面図である。
【発明を実施するための形態】
【００１４】  以下、本発明の実施の形態における履物用ヒール部材及び履物について図面を用いて詳細に説明する。
【００１５】  はじめに、図１から図３は、本発明の実施の形態における履物用ヒール部材の外観を示す斜視図である。履物用ヒール部材１００は、主に、リブ１１を設けたヒール構造部１０、ソール部材（図示省略）を嵌め込み可能とするために形成した突起部１２で構成される。また、ヒール構造部１０には、履物が形成された際のフックとなるのフック部１３も形成されている。履物用ヒール部材１００は、高強度、高剛性を有する樹脂材料で成型されており、サンダルはパンプスなどの踵（ヒール）部分が高い形状の履物の構造部分を構成することができる。
【００１６】  次に、図４は、本発明の実施の形態における履物の外観を示す斜視図である。履物２００は、上記の履物用ヒール部材１００を用いて、履物用ヒール部材の突起部１２に嵌め込み可能に成型した２体のソール部材２０及び３０で構成され、前記２体のソール部材２０及び３０は前方（トー部）で接着して形成されている。また、ソール部材２０からは、鼻緒４０が突出している。鼻緒４０の先端はソール部材３０の下面へ貫通して両方のソール部材３０及び４０を固定している。ソール部材２０及び３０は、発泡ゴム等の軟質樹脂材料を用いることが好ましい。
【００１７】  なお、図５は、上記履物の上面図である。また、図６は、上記履物の正面図である。また、図７は、上記履物の右側面図である。また、図８は、上記履物の左側面図である。また、図９は、上記履物の底面図である。また、図１０は、上記履物の背面図である。
【００１８】  上記のように、本発明の履物によれば、サンダルやパンプスなどの踵（ヒール）部分が高い形状の履物を容易且つ安価に製造することができる。また、細長く伸びる従来のヒール部分の形状に比較して、安定性や意匠性にも優れる。
【００１９】  次に、図１１は、本発明の実施の形態におけるもう一つの履物の外観を示す斜視図である。履物３００は、上記の履物用ヒール部材１００をインサートとして用い、射出成型等によりソール部材５０を一体成型している。ソール部材５０は、発泡ゴム等の軟質樹脂材料を用いることが好ましい。なお、本図面では鼻緒の図示を省略している。
【００２０】  なお、図１２は、上記履物の上面図である。また、図１３は、上記履物の正面図である。また、図１４は、上記履物の右側面図である。また、図１５は、上記履物の左側面図である。また、図１６は、上記履物の底面図である。また、図１７は、上記履物の背面図である。
【００２１】  上記のように、本発明の履物によれば、サンダルやパンプスなどの踵（ヒール）部分が高い形状の履物を容易且つ安価に製造することができる。また、細長く伸びる従来のヒール部分の形状に比較して、安定性や意匠性にも優れる。
【産業上の利用可能性】
【００２２】  本発明に係る履物用ヒール部材および履物は、容易且つ安価に履物に製造することができるという効果を有し、サンダルやパンプスなどの踵（ヒール）部分が高い形状の履物の製造において有用である。
【符号の説明】
【００２３】  １０  ヒール構造部
１１  リブ
１２  突起部
１３  フック部
２０、３０、５０  ソール部材
４０  鼻緒
１００、２００、３００  履物
【図１】
2012095979.tif 000003
【図２】
2012095979.tif 000004
【図３】
2012095979.tif 000005
【図４】
2012095979.tif 000006
【図５】
2012095979.tif 000007
【図６】
2012095979.tif 000008
【図７】
2012095979.tif 000009
【図８】
2012095979.tif 000010
【図９】
2012095979.tif 000011
【図１０】
2012095979.tif 000012
【図１１】
2012095979.tif 000013
【図１２】
2012095979.tif 000014
【図１３】
2012095979.tif 000015
【図１４】
2012095979.tif 000016
【図１５】
2012095979.tif 000017
【図１６】
2012095979.tif 000018
【図１７】
2012095979.tif 000019